(57)【要約】【課題】  ツマミを握る指が支持部の尖った部分に干渉することを防止することができる、風向き調整機構およびそれを備えた空気調和機を提供する。【解決手段】  風向き調整機構１０は、支持部１１と、風向き調整部材１２と、ツマミ１３とを備えている。支持部１１は、風を発生させる機器の吹出口８に設けられている。また、支持部１１は、尖った尖がり部である固定爪１５を有する。風向き調整部材１２は、支持部１１に対して移動可能である。ツマミ１３は、風向き調整部材１２を手動で操作するためのものである。風向き調整部材１２は、壁１４を有している。壁１４は、ツマミ１３と固定爪１５との間に位置する。【選択図】      図４
2006132789.tif 000002
【特許請求の範囲】
【請求項１】
風を発生させる機器（２）の吹出口（８）に設けられ、尖った尖がり部（１５）を有する支持部（１１）と、
前記支持部（１１）に対して移動可能である風向き調整部材（１２）と、
前記風向き調整部材（１２）を手動で操作するためのツマミ（１３）と、
を備え、
前記風向き調整部材（１２）は、前記ツマミ（１３）と前記尖がり部（１５）との間に位置する壁（１４）を有している、
風向き調整機構（１０）。
【請求項２】
前記支持部（１１）および前記風向き調整部材（１２）のうちのいずれか一方に設けられた凸部（２１）と、
前記支持部（１１）および前記風向き調整部材（１２）のうちの他方に設けられた、前記凸部と係止可能な複数の凹部（２２）と、
をさらに備えている、
請求項１に記載の風向き調整機構（１０）。
【請求項３】
前記ツマミ（１３）は、前記風向き調整部材（１２）に設けられた前記凸部（２１）または凹部（２２）から離間して前記風向き調整部材（１２）の端部近傍に設けられている、
請求項２に記載の風向き調整機構（１０）。
【請求項４】
前記尖がり部（１５）は、前記風向き調整部材（１２）を移動自在に支持する爪である、
請求項１から３のいずれか１項に記載の風向き調整機構（１０）。
【請求項５】
前記風向き調整部材（１２）は、風向き調整板（１６）を有する、
請求項１から４のいずれか１項に記載の風向き調整機構（１０）。
【請求項６】
前記ツマミは、前記風向き調整部材の操作側の表面である操作側表面から突出している、
請求項１から５のいずれか１項に記載の風向き調整機構（１０）。
【請求項７】
前記操作側表面から前記壁（１４）の先端までの高さは、前記操作側表面から前記尖がり部（１５）の先端までの高さよりも高い、
請求項６に記載の風向き調整機構（１０）。
【請求項８】
前記操作側表面から前記壁（１４）の先端までの高さは、前記操作側表面から前記ツマミ（１３）の先端までの高さよりも低い、
請求項６または７に記載の風向き調整機構（１０）。
【請求項９】
前記操作側表面から前記ツマミ（１３）の先端までの高さは、１０ｍｍ以上である、
請求項６から８のいずれか１項に記載の風向き調整機構（１０）。
【請求項１０】
前記操作側表面から前記壁（１４）の先端までの高さは、４ｍｍ以下である、
請求項６から９のいずれか１項に記載の風向き調整機構（１０）。
【請求項１１】
請求項１から請求項１０のいずれか１項に記載の風向き調整機構（１０）を備えている空気調和機（１）。
【発明の詳細な説明】
【技術分野】
【０００１】
本発明は、風向き調整機構およびそれを備えた空気調和機に関する。
【背景技術】
【０００２】
従来より、空気調和機などの吹出口付近には、左右の風向きを調整するための風向き調整機構が設けられている。特許文献１に記載されている風向き調整機構は、空気調和機の吹出口に設けられた支持部と、支持部に対して移動可能である風向き調整部材と、風向き調整部材を手動で操作するツマミとを備えている。風向き調整部材は、複数の垂直フラップおよびそれら垂直フラップを連結する連結部材を有している。この風向き調整機構では、ツマミを指で掴み、風向き調整部材を左右方向に手動でスライドさせることにより、複数の垂直フラップの方向を変えて風向きの調整を行う。
【特許文献１】特開平９−１９６４５７号公報
【発明の開示】
【発明が解決しようとする課題】
【０００３】
しかし、支持部に尖った部分が存在する場合、ツマミを指で掴んで風向き調整部材を移動させたときに、ツマミが支持部の尖った部分に近づくことによって、ツマミを握る指が尖った部分に干渉するおそれがある。
本発明の課題は、このような問題を解決するためになされたものであり、ツマミを握る指が支持部の尖った部分に干渉することを防止することができる、風向き調整機構およびそれを備えた空気調和機を提供することにある。
【課題を解決するための手段】
【０００４】
第１発明に係る風向き調整機構は、支持部と、風向き調整部材と、ツマミとを備えている。支持部は、風を発生させる機器の吹出口に設けられている。また、支持部は、尖った尖がり部を有する。風向き調整部材は、支持部に対して移動可能である。ツマミは、風向き調整部材を手動で操作するためのものである。風向き調整部材は、壁を有している。壁は、ツマミと尖がり部との間に位置する。
【０００５】
ここでは、風向き調整部材が、ツマミと尖がり部との間に位置する壁を有しているので、ツマミを掴んでいる指が支持部の尖がり部と干渉することを防止することができる。
【０００６】
第２発明に係る風向き調整機構は、第１発明の風向き調整機構であって、凸部と、複数の凹部とをさらに備えている。凸部は、支持部および風向き調整部材のうちのいずれか一方に設けられている。複数の凹部２２は、支持部１１および風向き調整部材１２のうちの他方に設けられている。
ここでは、支持部と風向き調整部材との間において凹凸嵌合する凸部と凹部とを備えているため、凹凸嵌合でクリック感を与えながら風向き調整部材を移動させることによって、風向き調整部材を所望の位置に確実に固定することができる。
なお、凹凸嵌合する凸部および凹部によってクリック感が発生するため、ツマミの移動速度は速くなったり遅くなったりすることがある。しかし、上述のように、風向き調整部材が、ツマミと尖がり部との間に位置する壁を有しているので、ツマミの移動速度が不安定であっても、ツマミを掴んでいる指が支持部の尖がり部と干渉することを確実に防止することができる。
【０００７】
第３発明に係る風向き調整機構は、第２発明の風向き調整機構であって、ツマミは、風向き調整部材に設けられた凸部または凹部から離間して風向き調整部材の端部近傍に設けられている。
ここでは、ツマミが凸部または凹部から離れて配置されているので、ユーザの操作力を、一定の方向に維持して凸部または凹部へ作用させることができ、それによってクリック感を安定させることができる。
【０００８】
第４発明に係る風向き調整機構は、第１発明から第３発明のいずれかの風向き調整機構であって、尖がり部は、風向き調整部材を移動自在に支持する爪である。
ここでは、尖がり部が風向き調整部材を移動自在に支持する爪である場合に、ツマミが爪の近傍に移動しても、指が爪に干渉することを防止することができる。
【０００９】
第５発明に係る風向き調整機構は、第１発明から第４発明のいずれかの風向き調整機構であって、風向き調整部材は、風向き調整板を有する。
ここでは、風向き調整部材は、風向き調整板を有しているので、風向き調整板を用いて風向きを調整することができる。
【００１０】
第６発明に係る風向き調整機構は、第１発明から第５発明のいずれかの風向き調整機構であって、ツマミは、風向き調整部材の操作側の表面である操作側表面から突出している。
ここでは、ツマミは操作側表面から突出しているので、ツマミの操作が容易である。
第７発明に係る風向き調整機構は、第６発明の風向き調整機構であって、操作側表面から壁の先端までの高さは、操作側表面から尖がり部の先端までの高さよりも高い。
ここでは、壁が、尖がり部よりも高いので、指が壁を越えて尖がり部に干渉することを確実に防止することができる。
【００１１】
第８発明に係る風向き調整機構は、第６発明または第７発明の風向き調整機構であって、操作側表面から壁の先端までの高さは、操作側表面からツマミの先端までの高さよりも低い。
ここでは、壁がツマミよりも低いので、ユーザがツマミと間違えて壁を掴む不具合を解消することができる。
【００１２】
第９発明に係る風向き調整機構は、第６発明から第８発明のいずれかの風向き調整機構であって、操作側表面からツマミの先端までの高さは、１０ｍｍ以上である。
ここでは、操作側表面からツマミの先端までの高さは、１０ｍｍ以上であるので、指でツマミを掴むことができる。
【００１３】
第１０発明に係る風向き調整機構は、第６発明から第９発明のいずれかの風向き調整機構であって、操作側表面から壁の先端までの高さは、４ｍｍ以下である。
ここでは、操作側表面から壁の先端までの高さが、４ｍｍ以下であるので、ユーザが壁を誤って掴むことを防止することができる。
第１１発明に係る空気調和機は、第１発明から第１０発明のいずれかの風向き調整機構を備えている。
ここでは、第１発明と同様に、風向き調整部材が、ツマミと尖がり部との間に位置する壁を有しているので、ツマミを掴んでいる指が支持部の尖がり部と干渉することを防止することができる。
【発明の効果】
【００１４】
第１発明に係る風向き調整機構によれば、風向き調整部材が、ツマミと尖がり部との間に位置する壁を有しているので、ツマミを掴んでいる指が支持部の尖がり部と干渉することを防止することができる。
第２発明に係る風向き調整機構によれば、凹凸嵌合でクリック感を与えながら風向き調整部材を移動させることによって、風向き調整部材を所望の位置に確実に固定することができる。
【００１５】
第３発明に係る風向き調整機構によれば、ユーザの操作力を、一定の方向に維持して凸部または凹部へ作用させることができ、それによってクリック感を安定させることができる。
第４発明に係る風向き調整機構によれば、ツマミが爪の近傍に移動しても、指が爪に干渉することを防止することができる。
【００１６】
第５発明に係る風向き調整機構によれば、風向き調整板を用いて風向きを調整することができる。
第６発明に係る風向き調整機構によれば、ツマミの操作が容易である。
第７発明に係る風向き調整機構によれば、指が壁を越えて尖がり部に干渉することを確実に防止することができる。
【００１７】
第８発明に係る風向き調整機構によれば、ユーザがツマミと間違えて壁を掴む不具合を解消することができる。
第９発明に係る風向き調整機構によれば、指でツマミを掴むことができる。
第１０発明に係る空気調和機によれば、第１発明と同様に、ツマミを掴んでいる指が支持部の尖がり部と干渉することを防止することができる。
【発明を実施するための最良の形態】
【００１８】
本発明の一実施形態に係る風向き調整機構およびそれを備えた空気調和機について、図１〜図１０を用いて説明すれば以下の通りである。
〔空気調和機１の全体構成〕
本発明の一実施形態に係る風向き調整機構を備えた空気調和機の外観の正面図を図１に示す。図２には、図１の空気調和機の内部構成を示す縦断面図が示されている。
【００１９】
この空気調和機１は、空気を調和して室内に供給するための装置であり、室内の壁面などに取り付けられる室内機２と、室外に設置される室外機３とを備えている。室内機２内には室内熱交換器７（図２参照）が収納され、室外機３内には室外熱交換器（図示せず）が収納される。また、室内熱交換器７や室外熱交換器が冷媒を輸送する冷媒配管４によって接続されることにより、冷媒回路が構成されている。
【００２０】
〔室内機２の構成〕
室内機２は、正面視において横方向に長い形状を有している（図１参照）。室内機２は、主として、室内熱交換器７およびクロスフローファン９を有する本体部分と、フロントパネル５および背面パネル６を有するケーシング２４と、風向き調整機構１０とによって構成されている。ケーシング２４は、フロントパネル５と、背面パネル６とから構成され、内部に本体部分を収納する。背面パネル６は、室内熱交換器７やクロスフローファン９等の本体部分の背面側を覆う。フロントパネル５は、本体部分の前面側を覆うようにして、背面パネル６に対して嵌合される。
【００２１】
フロントパネル５は、図２に示すように、室内機２の前部を構成している。このフロントパネル５には、吸込口５ａ、５ｂが設けられている。室内熱交換器７は、クロスフローファン９の円周面に対向して配置されており、クロスフローファン９の前方、上方および後方を取り囲むように取り付けられている。室内熱交換器７では、クロスフローファン９を回転させたときに吸込口５ａ、５ｂからクロスフローファン９側に吸い込まれる空気と室内熱交換器７の内部を通過する冷媒との間で、熱交換が行われる。
【００２２】
また、フロントパネル５には、室内機２の長辺方向（幅方向）に沿う開口からなる吹出口８が設けられている。この吹出口８から、クロスフローファン９によって生成された空気流が室内へと吹き出される。また、フロントパネル５は、クロスフローファン９によって生成された空気流を整流して吹出口８へと導く空気導出路１７を有している。空気導出路１７の内部には、一対の水平フラップ１８、および風向き調整機構１０が設けられている。
【００２３】
一対の水平フラップ１８は、室内に吹き出される空気流を上下に案内するためのものであり、吹出口８の近傍に配置されている。この水平フラップ１８は、吹出口８の長辺方向に長い矩形状の板状部材である。水平フラップ１８は、吹出口８の長辺方向に平行な軸を中心に回動自在になっており、フラップモータ（図示せず）によって回転駆動される。これにより、水平フラップ１８は、空気流を上下に案内することができるとともに、吹出口８を閉塞することができる（図１参照）。
【００２４】
〔風向き調整機構１０の構成〕
図３は、図２の風向き調整機構の全体斜視図である。図４〜図６は、図３の風向き調整機構の手動操作前におけるツマミ、固定爪および壁の配置を示す拡大斜視図、正面図および断面図をそれぞれ示す。図７は、図６の凹凸嵌合部の断面図を示す。
風向き調整機構１０は、図２および図３〜図７に示すように、空気導出路１７の内部であって、水平フラップ１８の回動領域からクロスフローファン９側に僅かに離れた位置において、空気導出路１７の上面に装着されている。風向き調整機構１０は、支持部１１と、風向き調整部材１２と、ツマミ１３とを備えている。
【００２５】
（支持部１１の構成）
支持部１１は、吹出口８の長辺方向に長い矩形状の板状部材である。支持部１１は、空気導出路１７の上面を構成している部分１９（図２参照）に固定されている。
支持部１１は、縁が尖った尖がり部である固定爪１５を有している。固定爪１５は、風向き調整部材１２を移動自在に支持するための爪である。固定爪１５は、第１面（下面）とそれに直交する第２面（側面）で形成される縁部１５ａが尖がっている。
なお、固定爪１５は、金型を用いて合成樹脂を成形することにより製造されるが、固定爪１５の縁の部分に丸みを付けるように金型を製作することが金型の強度上難しいので、固定爪１５の縁の部分である縁部１５ａが尖ったままになっている。
また、支持部１１には、固定爪１５よりもクロスフローファン９に近い位置において、後述する垂直フラップ１６が固定された固定部２６が連結されている。支持部１１と固定部２６とは、支持部１１に設けられたリブ１１ａと固定部２６に形成されたスリット２６ａとを嵌合することにより、連結されている。
【００２６】
（風向き調整部材１２の構成）
風向き調整部材１２は、図３〜図６に示すように、吹出口８の長辺方向に長い矩形状の板状部材であり、支持部１１に平行に配置されている。この風向き調整部材１２は、支持部１１に対して、吹出口８の長辺方向に沿って移動可能になっている。また、風向き調整部材１２は、後述するように、複数の垂直フラップ１６を有している。
【００２７】
風向き調整部材１２には、円弧状の長孔１２ａが形成されている。長孔１２ａには、支持部１１に設けられた固定爪１５が係合している。これによって、風向き調整部材１２は、固定爪１５により長辺方向に沿って移動可能に支持されている。
風向き調整部材１２には、壁１４が設けられている。壁１４は、後述するツマミ１３と固定爪１５との間に配置されている。
【００２８】
ここで、壁１４の高さは、以下のように設定されている。
図６に示すように、支持部１１の操作側の表面である操作側表面１２ｂから壁１４の先端までの高さＨｗは、指Ｆ（図１０参照）が固定爪１５に干渉することを防止するために操作側表面１２ｂから固定爪１５の先端までの高さＨｎよりも高く設定されている。
操作側表面１２ｂから壁１４の先端までの高さＨｗは、ユーザがツマミ１３と間違えて壁１４を掴む不具合を解消するために、操作側表面１２ｂからツマミ１３の先端までの高さＨｇよりも低く設定されている。
【００２９】
また、操作側表面１２ｂから壁１４の先端までの高さＨｗは、４ｍｍ以下（好ましくは約３ｍｍ）であれば、ユーザが壁１４を誤って掴むことを防止することができる。
また、操作側表面１２ｂから固定爪１５の先端（具体的には縁部１５ａ）までの高さＨｎは、約２．５ｍｍである。
風向き調整部材１２は、壁１４およびツマミ１３とともに合成樹脂で一体成形されている。
【００３０】
（ツマミ１３の構成）
ツマミ１３は、風向き調整部材１２を手動で操作するための部材である。ツマミ１３は、風向き調整部材１２に設けられた凸部２１または凹部２２から離間して風向き調整部材１２の端部近傍に設けられている。ツマミ１３は、風向き調整部材１２の操作側の表面である操作側表面１２ｂから操作側へ突出している。
操作側表面１２ｂからツマミ１３の先端までの高さＨｇは、１０ｍｍ以上であれば、指Ｆでツマミ１３を掴むことができる。高さＨｇは、約１０ｍｍが好ましい。
図１０に示すように、ツマミ１３が固定爪１５に最も近づいたときのツマミ１３と固定爪１５との間隔Ｘは、風向き調整部材１２の強度または室内機２の寸法上の制約などを考慮して、３０ｍｍ以下（好ましくは２０ｍｍ以下）に設定される。より好ましい間隔Ｘは、１２ｍｍである。
（垂直フラップ１６の構成）
複数の垂直フラップ１６は、室内に吹き出される空気流を左右に案内するためのものである。複数の垂直フラップ１６は、それぞれが風向き調整部材１２の移動量に応じて変形可能な板状の弾性部材からなっている。複数の垂直フラップ１６における一方の端部１６ａ（クロスフローファン９から遠い方の端部）は、図２および図５に示すように、風向き調整部材１２に固定され、一方、他方の端部１６ｂ（クロスフローファン９から近い方の端部）は、支持部１１に連結された固定部２６に固定されている。これにより、複数の垂直フラップ１６は、風向き調整部材１２と固定部２６とにそれぞれ交差するように立設して配置されている。
【００３１】
このような複数の垂直フラップ１６は、図８〜図１０に示すように、風向き調整部材１２を支持部１１に対して左方向（矢印Ａの方向）へ移動させると、垂直フラップ１６の端部１６ｂが固定部２６に固定された状態で、垂直フラップ１６の端部１６ａが風向き調整部材１２とともに移動する。このようにして、複数の垂直フラップ１６を、風向き調整部材１２と固定部２６の間で変形させながら揺動させることができる。
【００３２】
垂直フラップ１６は、部分的に薄肉の部分１６ｃを有しており、この部分１６ｃは、変形しやすくなっている。
（凹凸嵌合部２０の構成）
さらに、支持部１１と風向き調整部材１２とのあいだには、風向き調整部材１２を左右へ移動したときにクリック感を発生させる凹凸嵌合部２０が設けられている。
【００３３】
凹凸嵌合部２０は、図５〜図７に示すように、支持部１１に設けられた凸部２１と、風向き調整部材１２に設けられた複数の凹部２２とから構成されている。複数の凹部２２は、凸部２１と係止可能である。
複数の凹部２２は、風向き調整部材１２を部分的に円弧状に凹んだ部分の内部を側壁部２３によって複数の区画に仕切ることによって形成されている。複数の凹部２２は、それぞれが円弧状に所定の間隔で一列に配置されている。複数の凹部２２は、側壁部２３が底部側から開口側に向けて末広がりテーパ状に形成されている。
〔風向き調整機構１０の操作説明〕
（手動操作前）
図４〜図６に示される風向き調整機構１０は、手動操作前の状態である。このとき、複数の垂直フラップ１６は、吹出口８から吹き出す空気の流れる方向を向いている。ツマミ１３と固定爪１５との間隔は、十分にあいている。
（手動操作後）
図８から図１０に示すように、風向き調整機構１０を手動操作して風向きを調整する。具体的には、ツマミ１３を指Ｆで掴んで風向き調整部材１２を図８〜図１０における左方向（矢印Ａの方向）へ移動させる。このとき、風向き調整部材１２は、固定爪１５が係合している長孔１２ａの延びる方向に沿って左へ移動する。それとともに、垂直フラップ１６は、風向き調整部材１２に固定された端部１６ａが風向き調整部材１２とともに左へ移動し、それとともに、固定部２６に固定された端部１６ｂを回転軸として反時計方向へ回転する。なお、このとき、垂直フラップ１６は、薄肉の部分１６ｃで大きく変形し、その他の部分も若干変形する。
【００３４】
その結果、垂直フラップ１６の向きを変えることによって、吹出口８から吹き出す空気の流れる方向を調整することができる。
また、風向き調整部材１２が左方向へ移動するのにともなって、凹凸嵌合部２０では、支持部１１側の凸部２１が風向き調整部材１２側の複数の凹部２２に順次嵌合していってクリック感が発生する。この凹凸嵌合によって、風向き調整部材１２および垂直フラップ１６は、所望の位置に固定される。
図８〜図１０に示される位置までツマミ１３が左へ移動したとき、固定爪１５はツマミ１３へ近づくが、ツマミ１３と固定爪１５との間には壁１４があるので、指Ｆが固定爪１５に干渉しない。
【００３５】
〔風向き調整機構１０の特徴〕
（１）
本実施形態の風向き調整機構１０では、風向き調整部材１２が、ツマミ１３と固定爪１５との間に位置する壁１４を有しているので、ツマミ１３を掴んでいる指が支持部１１の固定爪１５と干渉することが防止されている。
（２）
また、本実施形態の風向き調整機構１０では、支持部１１に設けられた凸部２１と、風向き調整部材１２に設けられた複数の凹部２２とからなる凹凸嵌合部２０を備えているので、凹凸嵌合部２０による凹凸嵌合でクリック感を与えながら風向き調整部材１２を移動させることができる。これによって、風向き調整部材１２およびそれに連動する垂直フラップ１６を所望の位置に確実に固定している。
（３）
また、本実施形態の風向き調整機構１０では、ツマミ１３は、風向き調整部材１２に設けられた凹部２２（広くいえば、凹凸嵌合部２０）から離間して風向き調整部材１２の端部近傍に設けられているので、ユーザの操作力を、一定の方向、具体的には風向き調整部材１２の移動方向に維持して凸部２１または凹部２２へ作用させることができる。それによって、凹凸嵌合部２０によって発生するクリック感を安定させている。
【００３６】
このようにクリック感を安定させるために、ツマミ１３を凹凸嵌合部２０からから離間して風向き調整部材１２の端部近傍に設けた場合であっても、前述のように、ツマミ１３と固定爪１５との間に位置する壁１４を有しているので、ツマミ１３を掴んでいる指が支持部１１の固定爪１５と干渉することを防止している。
（４）
本実施形態の風向き調整機構１０では、支持部１１の尖がり部として、風向き調整部材を移動自在に支持する固定爪１５が存在する場合に、ツマミ１３が固定爪１５の近傍に移動しても、指Ｆが固定爪１５に干渉することが防止されている。
（５）
本実施形態の風向き調整機構１０では、風向き調整部材１２は、風向き調整板である垂直フラップ１６を有しているので、垂直フラップ１６を用いて風向きを調整している。
（６）
本実施形態の風向き調整機構１０では、ツマミ１３は風向き調整部材１２の操作側の表面である操作側表面１２ｂから突出しているので、ツマミの操作が容易である。
（７）
本実施形態の風向き調整機構１０では、操作側表面１２ｂから壁１４の先端までの高さＨｗは、操作側表面１２ｂから固定爪１５の先端までの高さＨｎよりも高い。このため、指が壁１４を越えて固定爪１５に干渉することが確実に防止されている。
（８）
本実施形態の風向き調整機構１０では、操作側表面１２ｂから壁１４の先端までの高さＨｗは、操作側表面１２ｂからツマミ１３の先端までの高さＨｇよりも低い。このため、ユーザがツマミ１３と間違えて壁１４を掴む不具合が解消されている。
（９）
本実施形態の風向き調整機構１０では、操作側表面１２ｂからツマミ１３の先端までの高さＨｇは、１０ｍｍ以上であるので、指でツマミ１３を掴むことができる。
（１０）
本実施形態の風向き調整機構１０では、操作側表面１２ｂから壁１４の先端までの高さＨｗは、４ｍｍ以下であるので、ユーザが壁１４を誤って掴むことを防止している。
（１１）
本実施形態の空気調和機１の室内機２は、風向き調整機構１０を備えているので、前述と同様に、風向き調整部材１２がツマミ１３と固定爪１５との間に位置する壁１４を有していることにより、ツマミ１３を掴んでいる指が支持部の固定爪１５と干渉することを防止している。
〔実施形態の変形例〕
（Ａ）
上記実施形態では、風向き調整機構１０を備えた空気調和機を例にあげて説明したが、本発明はこれに限定されるものではなく、風の発生源であれば、本発明の風向き調整機構を適用することが可能である。たとえば、ＶＡＶユニットの単体などに対して本発明の風向き調整機構を適用しても上記実施形態と同様の効果を得ることができる。
（Ｂ）
上記実施形態では、風向き調整部材１２が有する尖った尖がり部として、固定爪１５を例にあげて説明したが、本発明はこれに限定されるものではなく、その他の尖がり部であっても本発明の壁１４をツマミ１３と尖がり部との間に配置することによって、ツマミ１３を掴んだ指が尖がり部に干渉することを防止することができる。
（Ｃ）
上記実施形態では、操作側表面１２ｂから壁１４の先端までの高さＨｗが、操作側表面１２ｂから固定爪１５の先端までの高さＨｎよりも高い例が示されているが、本発明はこれに限定されるものではない。たとえば、操作側表面１２ｂから壁１４の先端までの高さＨｗが、操作側表面１２ｂから固定爪１５の先端までの高さＨｎと同じ高さまたはそれ以下であっても、壁１４によって、指Ｆが固定爪１５に干渉することを防止することができる。
（Ｄ）
上記実施形態では、支持部１１に設けられた凸部２１と、風向き調整部材１２に設けられた複数の凹部２２とから構成される凹凸嵌合部２０を例にあげて説明したが、本発明はこれに限定されるものではなく、凸部と凹部とを逆に配置、すなわち、複数の凹部２２を支持部１１に設け、かつ、凸部２１を風向き調整部材１２に設けて凹凸嵌合部２０を構成しても、上記実施形態と同様に作用効果を奏することができる。
【図面の簡単な説明】
【００３７】
【図１】本発明の一実施形態に係る風向き調整機構を備えた空気調和機の外観の正面図。
【図２】図１の空気調和機の内部構成を示す縦断面図。
【図３】図２の風向き調整機構の全体斜視図。
【図４】図３の風向き調整機構の手動操作前におけるツマミ、固定爪および壁の配置を示す拡大斜視図。
【図５】図３の風向き調整機構の手動操作前におけるツマミ、固定爪および壁の配置を示す正面図。
【図６】図３の風向き調整機構の手動操作前におけるツマミ、固定爪および壁の配置を示す断面図。
【図７】図６の凹凸嵌合部の断面図。
【図８】図３の風向き調整機構の操作後におけるツマミ、固定爪および壁の配置を示す拡大斜視図。
【図９】図３の風向き調整機構の操作後におけるツマミ、固定爪および壁の配置を示す正面図。
【図１０】図３の風向き調整機構の操作後におけるツマミ、固定爪および壁の配置を示す断面図。
【符号の説明】
【００３８】
１      空気調和機
２      室内機
８      吹出口
１０    風向き調整機構
１１    支持部
１２    風向き調整部材
１３    ツマミ
１４    壁
１５    固定爪（尖がり部）
１６    垂直フラップ（風向き調整板）
２０    凹凸嵌合部
２１    凸部
２２    凹部
【図１】
2006132789.tif 000003
【図２】
2006132789.tif 000004
【図３】
2006132789.tif 000005
【図４】
2006132789.tif 000006
【図５】
2006132789.tif 000007
【図６】
2006132789.tif 000008
【図７】
2006132789.tif 000009
【図８】
2006132789.tif 000010
【図９】
2006132789.tif 000011
【図１０】
2006132789.tif 000012